(57)【要約】【課題】予約録画を行っていない時間を有効に活用してダビング処理を行い、ダビング終了までの所要時間を短縮できる記録再生装置を提供する。【解決手段】コンテンツの記録開始時刻と記録終了時刻を受け付ける受付手段１０１と、受け付けた情報を記憶する記憶手段１０９と、コンテンツデータを記録、再生する記録再生手段１０４と、ダビングする場合、その時点での時刻をダビング開始時刻とし、ダビング所要時間を算出する算出手段２０１と、記録予約がされた時間帯以外の空き時間帯を抽出する空き時間帯抽出手段２０２と、記録開始時刻及び記録終了時刻と、ダビング開始時刻及びダビング所要時間とに基づき、空き時間帯でダビング処理が完了するか判断する判断手段２０３と、できない場合ダビングスケジュールを生成するスケジュール生成手段２０５と、ダビングスケジュールによりコンテンツデータを分割しダビングするダビング実行手段２０４とを備える。【選択図】図２
2009089169.tif 000002
【特許請求の範囲】
【請求項１】
コンテンツの記録、再生、ダビングの機能を有する記録再生装置であって、
前記コンテンツの記録を開始する記録開始時刻と前記記録を終了する記録終了時刻とを含みコンテンツ記録を予約するための予約情報を受け付ける受付手段と、
受け付けた前記予約情報を記憶する記憶手段と、
前記予約情報に基づいて前記コンテンツを構成するコンテンツデータを所定の記憶領域に記録するとともに、要求に応じて記録された前記コンテンツデータを再生する記録再生手段と、
前記所定の記憶領域に既に記録された記録済みのコンテンツデータを他の記憶領域へダビングする旨の指示がされた場合、前記指示の時点での時刻をダビング開始時刻として取得し、さらに前記記録済みのコンテンツデータのダビングに要するダビング所要時間を算出する算出手段と、
前記予約情報に基づいて前記コンテンツ記録がなされる時間帯以外の空き時間帯を抽出する空き時間帯抽出手段と、
前記コンテンツの前記予約情報と、前記ダビング開始時刻及び前記ダビング所要時間とに基づいて、前記コンテンツ記録がされない時間帯において前記記録済みのコンテンツデータを連続してダビングする処理を完了させることが可能か否かを判断する判断手段と、
前記記録済みのコンテンツデータを連続してダビングする処理を完了させることができないと判断された場合、前記記録済みのコンテンツデータを分割して前記空き時間帯にダビング処理させるためのダビングスケジュールを生成するスケジュール生成手段と、
生成された前記ダビングスケジュールに基づいて、前記記録済みのコンテンツデータを分割してダビング処理を行うダビング実行手段とを、
備える記録再生装置。
【発明の詳細な説明】
【技術分野】
【０００１】
本発明は、ＴＶ番組などのコンテンツをダビングする機能を有する記録再生装置に関する。
【背景技術】
【０００２】
近年、ＴＶ放送番組をデジタルストリームとして記録し再生するデジタルレコーダーが普及している。デジタルレコーダーにおいて、ストリームを記録する手段として、ストレージ（記憶装置）としてのハードディスク、着脱自在のディスクメディアとしてのＤＶＤ（Digital Versatile Disk）などがある。ユーザは、録画機能を使って、ハードディスクに映像や音声を記録していき、必要に応じてＤＶＤなどのディスクにダビングするといったことを行っている。
【０００３】
録画機能の１つとして録画したい放送番組の開始時刻と終了時刻を機器にあらかじめ設定しておき、開始時刻になると自動的に録画が開始されるといった予約録画機能がある。このときダビング動作を行おうとしている時刻と、予約録画に設定した時刻が重なっている場合、ダビング動作と録画動作のどちらかが影響を受け、完全に動作が完了しない場合があった。下記の特許文献１に記載の技術では、予約録画の開始時刻と終了時刻及びダビングにかかる所要時間を比較（考慮）し、ダビングの実行開始時刻を移動させ、ダビング動作と録画動作とが共に完全に行われるようにしている。
【特許文献１】特開２００４−４０３３５号公報（要約）
【発明の開示】
【発明が解決しようとする課題】
【０００４】
しかしながら、上述したような従来の技術によれば、予約録画を実行する時間帯を除く空いた時間に、所定のデータのダビング所要時間が完全に収まりきらない場合には、収まる場所まで実行開始時間を遅らせていく、あるいは、ダビング自体を中止するよう構成されている。また、現在時刻に近接する予約録画設定の数が多く、各予約録画の終了時刻と開始時刻とが密接している場合には、一つの予約録画終了から次の予約録画開始までの空き時間帯が短い。
【０００５】
よって、その空き時間帯にダビングを完全に終了させることのできる確率は低くなり、ダビングを開始する時刻が複数の予約録画の終了後にずれ、ダビング指示を受けてから実際にダビングを終了するまでにかなり時間がかかってしまうことが多かった。また、指定した複数のコンテンツをまとめてダビングする場合においては、一連のダビング作業を途中で停止してしまうと、コンテンツの途中からダビングを再開させる手段がなく、再度ダビングを最初からやり直さなければならないという問題があった。
【０００６】
本発明は、上記課題を解決するためのものであり、予約録画を行っていない時間を有効に活用してダビング処理を行い、予約録画動作に影響を与えることなく、ダビング終了までの所要時間を短縮でき、ダビングを一時停止後でも再開できる記録再生装置を提供することを目的とする。
【課題を解決するための手段】
【０００７】
上記目的を達成するために、本発明によれば、コンテンツの記録、再生、ダビングの機能を有する記録再生装置であって、前記コンテンツの記録を開始する記録開始時刻と前記記録を終了する記録終了時刻とを含みコンテンツ記録を予約するための予約情報を受け付ける受付手段と、受け付けた前記予約情報を記憶する記憶手段と、前記予約情報に基づいて前記コンテンツを構成するコンテンツデータを所定の記憶領域に記録するとともに、要求に応じて記録された前記コンテンツデータを再生する記録再生手段と、前記所定の記憶領域に既に記録された記録済みのコンテンツデータを他の記憶領域へダビングする旨の指示がされた場合、前記指示の時点での時刻をダビング開始時刻として取得し、さらに前記記録済みのコンテンツデータのダビングに要するダビング所要時間を算出する算出手段と、前記予約情報に基づいて前記コンテンツ記録がなされる時間帯以外の空き時間帯を抽出する空き時間帯抽出手段と、前記コンテンツの前記予約情報と、前記ダビング開始時刻及び前記ダビング所要時間とに基づいて、前記コンテンツ記録がされない時間帯において前記記録済みのコンテンツデータを連続してダビングする処理を完了させることが可能か否かを判断する判断手段と、前記記録済みのコンテンツデータを連続してダビングする処理を完了させることができないと判断された場合、前記記録済みのコンテンツデータを分割して前記空き時間帯にダビング処理させるためのダビングスケジュールを生成するスケジュール生成手段と、生成された前記ダビングスケジュールに基づいて、前記記録済みのコンテンツデータを分割してダビング処理を行うダビング実行手段とを、備える記録再生装置が提供される。
この構成により、予約録画を行っていない時間を有効に活用してダビング処理を行い、予約録画動作に影響を与えることなく、ダビング終了までの所要時間を短縮でき、ダビングを一時停止後でも再開できる。
【発明の効果】
【０００８】
本発明の記録再生装置は、上記構成を有し、予約録画を行っていない時間を有効に活用してダビング処理を行い、予約録画動作に影響を与えることなく、ダビング終了までの所要時間を短縮でき、ダビングを一時停止後でも再開できる。また、本発明の記録再生装置によれば、ダビング処理に必要な時間と予約記録を実行する時間とが重なる場合、予約記録の行われていない時間帯にダビング処理が実行されるように、ダビング処理の時分割設定を行い、ダビング処理を時分割して実行するので、予約録画及びダビング処理のどちらも中止させることなく、共に完全に実行することができる。さらに、ダビング処理を時分割して実行するようにしたので、所定データのダビングにかかる所要時間を連続して確保する必要がなく、予約録画を行っていない時間を有効に活用できるので、結果的にダビング終了までにかかる時間を短縮することができる。また、ダビングするコンテンツごとに、時分割の位置情報を記録するようにしたので、ダビング一時停止後のダビング再開が可能となるとともに、ダビング再開時のコンテンツの入れ替えも可能となる。
【発明を実施するための最良の形態】
【０００９】
以下、本発明の実施の形態に係る記録再生装置ついて説明する。図１は本発明の一実施例である記録再生装置を示すブロック図である。図１に示すように、記録再生装置は、信号入力部１０３から入来する（入力される）映像、音声などのコンテンツを表す信号を記録再生部１０４（記録再生手段に相当）により符号化して、ストレージ１１０（ハードディスク装置など）又は着脱自在のディスク１１１（ＤＶＤなど）にデジタルストリームとして記録する。デジタルストリームは、タイトル名、記録位置、記録長、記録時刻などの属性データやコンテンツデータを含み、この属性データはストレージ１１０又はディスク１１１の所定の場所に記録される。
【００１０】
また、記録再生装置は、リモコンなどによるユーザ入力部１０１（受付手段に相当）によって指定される記録開始時刻と記録終了時刻の予約情報に基づいて、信号入力部１０３から入力されるコンテンツの予約録画をする機能を有している。入力された予約情報は、入力処理部１０２を介して入力情報記憶部１０９（記憶手段に相当）に登録され、予約された所定の時刻に達すると、記録再生部１０４は、登録された予約情報に基づき、目的とするコンテンツを自動的に録画する。すなわち、記録再生部１０４は、ストレージ制御部１０６を介してストレージ１１０へのコンテンツの予約録画（単に録画とも言う）を行う、又はディスク制御部１０７を介してディスク１１１へのコンテンツの予約録画を行う。
【００１１】
既に記録してあるデジタルストリームの再生時には、記録再生部１０４は、コンテンツ情報管理部１０５を介して属性データを呼び出し、ストリームを特定し、復号化再生し、出力部１０８から出力する。
【００１２】
次に、例えばストレージ１１０に記録しているデジタルストリームをディスク１１１にダビングする場合の動作について説明する。なお、デジタルコンテンツについては著作権を保護する目的でダビングを抑制するものがあるが、下記に示すものはダビングされることを制限していないコンテンツを対象としている。
【００１３】
図２は記録再生部１０４内のダビング時に動作する構成要素を示したブロック図である。なお、図２に示すように記録再生部１０４を複数の構成要素に分けずに記録再生部１０４自身がそれぞれの構成要素の動作を行うようにしてもよい。
まず、図１に示すユーザ入力部１０１を介してダビング元となるストレージ１１０に記録されている特定のストリームをディスク１１１へダビングする旨の要求がなされ、入力処理部１０２でその要求が認識される。要求が認識されると、図２に示すダビング情報取得部２０１（算出手段に相当）は、現在の時刻をダビング開始時刻として取得し、さらにダビングに要する時間（ダビング処理を開始し終了するまでに必要なダビング所要時間）を算出する。
【００１４】
すなわち、ダビング情報取得部２０１は、所定の記憶領域（例えば、ストレージ１１０）に既に記録された記録済みのコンテンツデータ（特定のストリーム）を他の記憶領域（例えば、ディスク１１１）へダビングする旨の指示がされた場合、指示の時点での時刻をダビング開始時刻として取得し、さらに記録済みのコンテンツデータのダビングに要するダビング所要時間を算出する。
【００１５】
その後、予約録画情報取得部２０２（空き時間帯抽出手段に相当）は、現在登録している各予約情報のうち記録開始時刻、記録終了時刻を入力情報記憶部１０９から取得し、各予約録画間の時間（１つの予約録画終了から次の予約録画開始までの空き時間）を抽出（算出）する。すなわち、予約録画情報取得部２０２は、予約情報（記録開始時刻及び記録終了時刻）に基づいて記録の予約がされた時間帯（予約録画間の時間帯）以外の空き時間帯を抽出する。
【００１６】
抽出の例として予約録画スケジュールとダビング処理の関連を示した図３を用いて説明する。例えば、入力情報記憶部１０９に予約録画（又は録画予約）Ａと予約録画（又は録画予約）Ｂのみが図３に示すように登録されている場合、予約録画Ａは時刻Ａ０から時刻Ａ１までの録画時間であり、予約録画Ｂは時刻Ｂ０から時刻Ｂ１までの録画時間である。したがって、上述したように、取得された現在の時刻（ダビング開始時刻）を時刻０とすると、算出される各予約録画間の時間（予約録画の行われない空き時間帯）は、時刻０から時刻Ａ０の時間帯と時刻Ａ１から時刻Ｂ０の時間帯となる。
【００１７】
各予約録画間の時間が抽出されると、ダビング分割判断部２０３（判断手段に相当）では、取得された現在時刻（ダビング開始時刻）とダビング所要時間、及び算出された各予約録画間の時間（予約録画の行われない空き時間帯）に基づいて、ダビング元となるストリームを分割するか否かの判断を行う。すなわち、ダビング分割判断部２０３は、コンテンツの予約情報と、ダビング開始時刻及びダビング所要時間とに基づいて、記録予約がされていない時間帯において記録済みのコンテンツデータすべての途切れのない連続したダビング処理を完了させることが可能か否かを判断する。図３の例であれば、時刻０から時刻Ａ０の時間にダビング時間が収まらないため、ダビング処理を時分割すると判断する。
【００１８】
ダビング処理を時分割すると判断した場合には、ダビング分割処理部２０５（スケジュール生成手段に相当）は、ダビング処理時分割のタイムスケジュールを生成する。すなわち、ダビング分割処理部２０５は、記録済みのコンテンツデータすべての途切れのない連続したダビング処理を完了させることができないと判断された場合、記録済みのコンテンツデータを分割して空き時間帯にダビング処理させるためのダビングスケジュール（ダビング処理時分割のタイムスケジュール）を生成する。
【００１９】
図３に示す例では、ダビング処理を分割して処理１から処理３に分け、それぞれの処理を予約記録が行われていない時間帯に実行するようにタイムスケジュールを生成する。このとき、ダビングするコンテンツをどの位置で分割したかの情報をコンテンツ情報管理部１０５に記録する（保持させる）。ダビングするコンテンツが複数ある場合には、コンテンツごとに記録する。
【００２０】
ダビング処理部２０４（ダビング実行手段に相当）は、生成されたタイムスケジュールに従って、ストレージ制御部１０６とディスク制御部１０７とを制御して、ストレージ１１０からディスク１１１へダビング処理を時分割して実行する。すなわち、ダビング処理部２０４は、生成されたダビングスケジュールに基づいて、記録済みのコンテンツデータを分割してダビング処理を行う。一方、ダビング処理を時分割する必要がないと判断された場合は、現在時刻の時刻０からダビング所要時間まで、ダビング処理部２０４によって、ストレージ１１０からディスク１１１へダビング処理が連続して行われる。
【００２１】
次に、ダビング処理を行っている最中にダビングの一時停止の指示が行われた場合のダビング処理方法について図４を参照して説明する。例えば、ダビングの対象となるコンテンツＡ（ダビングコンテンツＡ）のダビング処理中に、図４に示す予約録画Ａの期間中にダビング一時停止指示が、リモコンなどによるユーザ入力部１０１を介して指定された場合、ダビング処理を停止する。
【００２２】
ここで、コンテンツＡのダビングを一時停止している状態で、別のコンテンツＢ（ダビングコンテンツＢ）をダビング対象としてダビング処理を開始する場合を考える。すなわち、ダビング対象のコンテンツを入れ替える場合を考える。この場合、コンテンツＡのダビングがすべて終了してからコンテンツＢのダビングを開始するように設定してもよいし、コンテンツＢのダビングを先に終了させるように設定してもよい。図４は、後者のコンテンツＢのダビングをコンテンツＡより先に終わらせる例を示したものである。なお、コンテンツＢのダビングは上述した方法によって処理される。
【００２３】
コンテンツＢのダビングが終了すると、コンテンツＡの残りのダビング処理を続行するため、記録したコンテンツＡの分割位置情報をコンテンツ情報管理部１０５より読み出し、コンテンツＡのストリームのダビング再開位置を確定し、ストレージ制御部１０６とディスク制御部１０７を制御して、ストレージ１１０からディスク１１１へダビング処理を行う。
【００２４】
なお、本発明はこの実施例に限定されない。すなわち、上述したディスクの代わりにメモリカード（ＳＤメモリカードなど）でもよい。このとき、ディスク制御部はメモリカード制御部と読み替えるようにする。
【産業上の利用可能性】
【００２５】
本発明に係る記録再生装置は、予約録画を行っていない時間を有効に活用してダビング処理を行い、予約録画動作に影響を与えることなく、ダビング終了までの所要時間を短縮でき、ダビングを一時停止後でも再開できるため、ＴＶ番組などのコンテンツをダビングする機能を有する記録再生装置などに有用である。
【図面の簡単な説明】
【００２６】
【図１】本発明の実施の形態に係る記録再生装置の構成の一例を示すブロック図である。
【図２】本発明の実施の形態における記録再生部の構成の一例を示すブロック図である。
【図３】本発明の実施の形態における分割スケジュールについて説明するための図である。
【図４】本発明の実施の形態におけるダビング処理を行っている最中にダビングの一時停止の指示が行われた場合のダビング処理方法について説明するための図である。
【符号の説明】
【００２７】
１０１  ユーザ入力部（受付手段）
１０２  入力処理部
１０３  信号入力部
１０４  記録再生部（記録再生手段）
１０５  コンテンツ情報管理部
１０６  ストレージ制御部
１０７  ディスク制御部
１０８  出力部
１０９  入力情報記憶部（記憶手段）
１１０  ストレージ
１１１  ディスク
２０１  ダビング情報取得部（算出手段）
２０２  予約録画情報取得部（空き時間帯抽出手段）
２０３  ダビング分割判断部（判断手段）
２０４  ダビング処理部（ダビング実行手段）
２０５  ダビング分割処理部（スケジュール生成手段）
【図１】
2009089169.tif 000003
【図２】
2009089169.tif 000004
【図３】
2009089169.tif 000005
【図４】
2009089169.tif 000006